(57)【要約】【課題】  ベルトコンベアを用いてパチンコ玉を搬送させるのではなく、風力を利用してパチンコ玉を移動させることにより、その構造を簡単にさせると共に設備コストを低減させ、かつ保守点検や調整など、メンテナンスを簡略にさせることができるパチンコ島の提供。【解決手段】  パチンコ玉１２を各パチンコ機に供給させる上部搬送装置５の搬送フレーム５ａに、パチンコ玉搬送面５０に載置されたパチンコ玉に向けて風を送る送風装置５ｂが設けられ、この送風装置の吹き出し口５５が搬送始端部から搬送終端部に向けて風を送るように形成され、この吹き出し口からの送風によりパチンコ玉搬送面に載置されたパチンコ玉を搬送始端部から搬送終端部に向けて移動させる。【選択図】  図３
2008104581.tif 000002
【特許請求の範囲】
【請求項１】
島台に複数台のパチンコ機が左右方向に並設されているパチンコ島において、
各パチンコ機から排出されたパチンコ玉を回収する排玉回収路と、この排玉回収路で回収したパチンコ玉を島台の上方に設けた補給玉タンクに揚送させる揚送装置と、この補給玉タンクからのパチンコ玉を各パチンコ機に供給させる上部搬送装置と、前記補給玉タンクからのパチンコ玉を上部搬送装置内に流下させる流下シュートと、前記上部搬送装置の搬送終端部から落下した溢れ玉を前記排玉回収路に導く溢れ玉回収路とを備えており、
前記上部搬送装置は、各パチンコ機の上方を通るように左右方向に延長して設けられると共に上面がパチンコ玉搬送面に形成された搬送フレームと、この搬送フレームの外縁に設けられた各パチンコ機への玉供給シュートと、前記搬送フレームのパチンコ玉搬送面に載置されたパチンコ玉に向けて風を送る送風装置とを備え、
前記送風装置の吹き出し口が搬送始端部から搬送終端部に向けて風を送るように形成され、この吹き出し口からの送風によりパチンコ玉搬送面に載置されたパチンコ玉を搬送始端部から搬送終端部に向けて移動させるように形成されていることを特徴とするパチンコ島。
【請求項２】
請求項１記載のパチンコ島において、前記搬送フレームのパチンコ玉搬送面が水平又は搬送始端部から搬送終端部に向けて下り勾配になるように形成されているパチンコ島。
【請求項３】
請求項１又は２記載のパチンコ島において、前記各玉供給シュートにそれぞれパチンコ玉の玉通過の有無を検出する玉通過センサが設けられ、パチンコ玉の通過を検出した玉通過センサの数に応じて前記送風装置の風力を増減させるように形成されているパチンコ島。
【発明の詳細な説明】
【技術分野】
【０００１】
本発明は、パチンコ玉を内部で循環させるようにしたパチンコ島において、パチンコ玉を搬送させながら各パチンコ機に供給させるようにしたパチンコ玉搬送技術に関する。
【背景技術】
【０００２】
従来、パチンコ玉を内部で循環させるようにしたパチンコ島として、各パチンコ機から排出されたパチンコ玉を回収する排玉回収路と、この排玉回収路で回収したパチンコ玉を島台の上方に揚送させる揚送装置と、この揚送装置で揚送させたパチンコ玉を各パチンコ機に供給させる上部搬送装置を備え、この上部搬送装置に、各パチンコ機の上方を通るように島台の上部に左右方向に延長してベルトコンベアが設けられているものが知られている（特許文献１参照）。
【０００３】
このようにベルトコンベアを用いると、揚送装置から各パチンコ機毎に傾斜樋によってパチンコ玉を分配させるようにした従前のパチンコ島に比べ、パチンコ島の高さを低く抑えることができる。
これにより、遊技場内が開放的になるし、見通しも良好になり、また、遊技場内の照明具等、内装設備の設計自由度を向上できるし、防犯カメラの視界を広げることができるなど、優れた効果が得られるものであった。
【特許文献１】特開平６−３９１３６号公報
【発明の開示】
【発明が解決しようとする課題】
【０００４】
しかしながら、従来のように、ベルトコンベアを用いたパチンコ島では、その構成部品として、コンベアベルト及びコンベアベルトを掛け回すためのローラ等が必要になり、その構造が複雑になると共に設備コストが高くなり、また、コンベアベルトの移行やローラの回転といった駆動箇所が多く存在するため、保守点検や調整など、メンテナンスに多くの手間と費用がかかるという問題があった。
【０００５】
本発明は、上記のような問題を解決するためになされたもので、ベルトコンベアを用いてパチンコ玉を搬送させるのではなく、風力を利用してパチンコ玉を移動させることにより、その構造を簡単にさせると共に設備コストを低減させ、かつ保守点検や調整など、メンテナンスを簡略にさせることができるパチンコ島を提供することを課題としている。
【課題を解決するための手段】
【０００６】
上記の課題を解決するために、本発明（請求項１）のパチンコ島は、
島台に複数台のパチンコ機が左右方向に並設されているパチンコ島において、
各パチンコ機から排出されたパチンコ玉を回収する排玉回収路と、この排玉回収路で回収したパチンコ玉を島台の上方に設けた補給玉タンクに揚送させる揚送装置と、この補給玉タンクからのパチンコ玉を各パチンコ機に供給させる上部搬送装置と、前記補給玉タンクからのパチンコ玉を上部搬送装置内に流下させる流下シュートと、前記上部搬送装置の搬送終端部から落下した溢れ玉を前記排玉回収路に導く溢れ玉回収路とを備えており、
前記上部搬送装置は、各パチンコ機の上方を通るように左右方向に延長して設けられると共に上面がパチンコ玉搬送面に形成された搬送フレームと、この搬送フレームの外縁に設けられた各パチンコ機への玉供給シュートと、前記搬送フレームのパチンコ玉搬送面に載置されたパチンコ玉に向けて風を送る送風装置とを備え、
前記送風装置の吹き出し口が搬送始端部から搬送終端部に向けて風を送るように形成され、この吹き出し口からの送風によりパチンコ玉搬送面に載置されたパチンコ玉を搬送始端部から搬送終端部に向けて移動させるように形成されている構成とした。
【０００７】
又、本発明（請求項２）のパチンコ島は、
請求項１記載のパチンコ島において、前記搬送フレームのパチンコ玉搬送面が水平又は搬送始端部から搬送終端部に向けて下り勾配になるように形成されている。
【０００８】
又、本発明（請求項３）のパチンコ島は、
請求項１又は２記載のパチンコ島において、前記各玉供給シュートにそれぞれパチンコ玉の玉通過の有無を検出する玉通過センサが設けられ、パチンコ玉の通過を検出した玉通過センサの数に応じて前記送風装置の風力（送風量や送風速度）を増減させるように形成されている。
【発明の効果】
【０００９】
本発明（請求項１）のパチンコ島は、搬送フレームのパチンコ玉搬送面に載置したパチンコ玉に向けて風を送る送風装置を備え、この送風装置の吹き出し口を搬送始端部から搬送終端部に向けて形成した構成に特徴がある。
このように、送風装置を用い、吹き出し口の向きを搬送終端部に向けることにより、パチンコ玉搬送面に載置したパチンコ玉を風力によって搬送始端部から搬送終端部に向けて移動させることができる。
【００１０】
これにより、ベルトコンベアを用いてパチンコ玉を搬送させる従来のパチンコ島とは異なり、その構造を簡単にさせると共に設備コストを低減させ、かつ保守点検や調整など、メンテナンスを簡略にさせることができる。
【００１１】
又、前記搬送フレームのパチンコ玉搬送面は、水平又は搬送始端部から搬送終端部に向けて下り勾配になるように形成されており（請求項２）、水平に形成した場合にはパチンコ玉を風力のみで移動させ、又、下り勾配に形成した場合には、勾配による転がりと風力とによって移動させることができる。
【００１２】
又、上部搬送装置から各玉供給シュートを通して各パチンコ機に供給されるパチンコ玉の量に応じて、送風装置による風力（送風量や送風速度）を増減させる構成にすると（請求項３）、パチンコ玉の玉供給不足の防止、及び搬送終端部から落下する溢れ玉の玉数を減少させることができる。
【００１３】
例えば、パチンコ島内における複数のパチンコ機のうち、その多くのパチンコ機に上部搬送装置から同時に各パチンコ機にパチンコ玉が供給されると、パチンコ玉の供給が追い付かず、パチンコ玉の供給ミスを招くおそれが生じる。
このような場合には、送風装置による風力を増加させて、パチンコ玉の移動量を増大させれば、パチンコ玉の供給ミスを防止することができる。
逆に上部搬送装置から各パチンコ機へ供給されるパチンコ玉の量が少ない場合、風力が増加したままでは、搬送終端部から落下する溢れ玉の玉数が増加してしまう。
このような場合には、風力を減少させて、パチンコ玉の移動量を減少させれば、搬送終端部から落下する溢れ玉の玉数を減少させることができる。
【００１４】
特に、将来において、パチンコを賭博性よりも遊戯性を重視する目的で、１００円当りの玉貸数を増加させることが考えられる（例えば、１００円当り５０玉や１００玉、ちなみに現在は１００円当り２５玉前後）。
このように玉貸数が増加した場合には、パチンコ玉の供給が追い付かないことが十分に考えられるもので、本発明によれば、このようなパチンコ玉の供給ミスといったトラブルを防止することができる。
【発明を実施するための最良の形態】
【００１５】
図１は本発明の実施例であるパチンコ島の右側半分を示す概略正面図、図２はこのパチンコ島の上部搬送装置を示す断面図、図３はその上部搬送装置を示す部分斜視図である。
【００１６】
パチンコ島Ａは、図１に示すように、島台１に複数台のパチンコ機１６が左右方向に並設されたもので、実施例では左右４台づつのパチンコ機１６が島台１の表裏に並設されている。
【００１７】
このパチンコ島Ａの内部には、パチンコ玉循環系が形成され、このパチンコ玉循環系は、各パチンコ機１６から排出されたパチンコ玉１２を回収する排玉回収路９と、この排玉回収路９で回収したパチンコ玉１２を島台１の上方に設けた補給玉タンク３に揚送させる揚送装置２と、前記補給玉タンク３からのパチンコ玉１２を各パチンコ機１６に供給させる上部搬送装置５と、前記補給玉タンク３からのパチンコ玉１２を上部搬送装置５内に流下させる流下シュート３ａと、前記上部搬送装置５の搬送終端部から落下した溢れ玉を前記排玉回収路９に導く溢れ玉回収路９ａと、を備えている。
【００１８】
前記揚送装置２は、排玉回収路９で回収したパチンコ玉１２を研磨しながら揚送するものであるが、研磨装置を揚送装置２の手前に設け、揚送装置２は揚送機能だけを有するものでもよい。
【００１９】
前記流下シュート３ａは、前記上部搬送装置５の搬送始端部Ｍに前記補給玉タンク３からのパチンコ玉１２を流下させるためのもので、上部搬送装置５の搬送始端部Ｍの上方に延出するように、補給玉タンク３の下端部に取り付けられている。
【００２０】
前記溢れ玉回収路９ａは、前記上部搬送装置５の搬送終端部Ｎから落下した溢れ玉を前記排玉回収路９に導くためのもので、上部搬送装置５の搬送終端部Ｎに設けた落下ガイド器９０と前記排玉回収路９の上端部を蛇腹ホース９１で接続することで形成されている。
【００２１】
前記上部搬送装置５は、搬送フレーム５ａと、送風装置５ｂと、玉供給シュート５ｃと、を備えている。
【００２２】
前記搬送フレーム５ａは、各パチンコ機１６の上方を通るように左右方向に延長して設けられると共に上面がパチンコ玉搬送面５０に形成され、その両外縁部に沿って立側板５１，５１が設けられている。
【００２３】
又、前記送風装置５ｂは、前記パチンコ玉搬送面５０に載置されたパチンコ玉１２に向けて風を送るためのもので、その吹き出し口５５が搬送始端部Ｍから搬送終端部Ｎに向けて、乾燥し、かつ清潔な風を送るように開口されている。
実施例では、前記立側板５１，５１間に架設した支持部材５２に吹き出しノズル５３が取り付けられ、この吹き出しノズル５３に図示省略したブロアが送気ホース５４を介して接続されると共に、搬送終端部Ｎに向けてやや下向きに開口するようにスリット状の吹き出し口５５が形成され、この吹き出し口５５からの風力（送風量や送風速度）を図示省略した電磁弁によって調整するように形成されている。
なお、送風する風と共にマイナスイオンやオゾンを吹き出すように形成させると、パチンコ店館内の雰囲気を改善することができる。
【００２４】
前記吹き出しノズル５３は、搬送方向Ｘに並設して１個又は複数個（２個以上）を設けることができる。
複数個の吹き出しノズル５３を取り付ける場合には、それぞれの電磁弁を調節して、各吹き出し口５５からの風力を調整することでパチンコ玉１２の移動に最適な風力で送風することがきるようにしている。
【００２５】
又、搬送フレーム５ａの上面に形成されたパチンコ玉搬送面５０は、水平又は搬送始端部Ｍから搬送終端部Ｎに向けて下り勾配になるように形成することができるもので、この実施例のパチンコ玉搬送面５０は水平に形成されている。
このようにパチンコ玉搬送面５０を水平に形成すると、パチンコ玉１２が自重により勝手に転がって移動することはないが、パチンコ玉１２を移動させるための風力を強くする必要がある。
又、下り勾配に形成した場合には、勾配による転がりと風力とによってパチンコ玉１２を移動させるため、その移動のための風力を弱くすることができる。
ただ、下り勾配に形成した場合、パチンコ玉１２が自重により勝手に転がって移動することがない範囲の勾配に形成する必要があり、概ね１．０／１００以下の勾配が適当と考える。
【００２６】
前記玉供給シュート５ｃは、パチンコ玉１２を各パチンコ機１６に供給するためのもので、前記パチンコ玉搬送面５０の外縁に設けられ、各パチンコ機１６の上方において、前記立側板５１に形成した切欠部に嵌め込むことで取り付けられ、パチンコ機１６の裏面に設けた景品玉貯留タンク（図示省略）に蛇腹ホース１７で接続されている。
なお、前記パチンコ玉搬送面５０は、中央から両外縁に向けて若干の下り傾斜に形成され、パチンコ玉搬送面５０上のパチンコ玉１２が外縁に向けて転がり易くなるようにして、各玉供給シュート５ｃへの流入がスムーズに行えるようにしている。
【００２７】
又、前記両立側板５１，５１の間には、パチンコ玉搬送面５０の上方を覆うように透明カバー１１が着脱可能に設けられている。
【００２８】
従って、各パチンコ機１６から排出された使用済のパチンコ玉１２は、排玉回収路９から揚送装置２を経る間に研磨されて補給玉タンク３に揚送され、この補給玉タンク３から流下シュート３ａによって上部搬送装置５に供給され、この上部搬送装置５を経て各パチンコ機１６に供給され、再び各パチンコ機１６から排玉回収路９に排出されるという循環を繰り返すことになる。
なお、上部搬送装置５の搬送終端部Ｎから落下した溢れ玉は溢れ玉回収路９ａから排玉回収路９に戻される。
【００２９】
そして、前記上部搬送装置５では、補給玉タンク３からのパチンコ玉１２が搬送フレーム５ａのパチンコ玉搬送面５０に供給されるもので、このパチンコ玉１２に向けて吹き出しノズル５３に形成した吹き出し口５５から風が送られるため、その風力によってパチンコ玉１２を搬送始端部Ｍから搬送終端部Ｎに向けて移動させることができる。
【００３０】
又、前記パチンコ島Ａの上部搬送装置５において、各玉供給シュート５ｃにそれぞれパチンコ玉１２の玉通過の有無を検出する玉通過センサＳが設けられている。
この玉通過センサＳは、パチンコ玉１２に接触又は非接触でパチンコ玉１２の通過を検出するマイクロスイッチが用いられ、上部搬送装置５の各玉供給シュート５ｃにそれぞれ設けられた玉通過センサのうち、パチンコ玉１２の通過を検出した玉通過センサＳの数に応じて前記送風装置５ｂの電磁弁開度を調整して吹き出し口５５からの風力を増減させるように形成されている。
【００３１】
前記した送風装置６の風力制御系ブロック図を図４に示す。
各玉供給シュート５ｃにそれぞれ設けられた玉通過センサＳからの検出信号は制御部７に入力され、この制御部７から送風装置５ｂの電磁弁８にその開度を調節するための制御信号が出力されるようになっている。
前記制御部７は、制御処理を行うＣＰＵ７０、このＣＰＵ７０で実行される各種制御プログラムやデータ等を記憶するＲＯＭ７１、ＣＰＵ７０によって作動領域として利用されるＲＡＭ７２、及び入出力ポート７３を備えている。
このように、制御部７は、パチンコ玉１２の通過を検出した玉通過センサＳからの検出信号を受信し、その検出信号数が設定範囲内の場合には、送風装置６の電磁弁８を中開度に開くように指令する信号を出力させ、検出信号数が設定範囲よりも多い場合にはパチンコ玉の供給量が多いものと判断して電磁弁８を大開度に開くように指令する信号を出力させ、検出信号数が設定範囲よりも少ない場合にはパチンコ玉の供給量が少ないものと判断して電磁弁８を小開度に開くように指令する信号を出力させるものである。
【００３２】
従って、例えば、パチンコ島Ａ内における複数のパチンコ機１６のうち多くのパチンコ機１６に同時に玉供給シュート５ｃを通してパチンコ玉１２が供給されると、パチンコ玉１２の供給が追い付かず、パチンコ玉１２の供給ミスを招くおそれが生じる。
このような場合には、玉通過センサＳによる検出信号数が制御部７に数多く入力されることから、制御部７から送風装置５ｂの電磁弁８に大開度で開くように信号が出力され、これに基づき吹き出し口５５からの風力が増大し、パチンコ玉１２の移動量が増大してパチンコ玉の供給ミスを防止することができる。
【００３３】
又、各パチンコ機１６へ供給されるパチンコ玉１２の量が少ない場合、送風装置５ｂの風力が強いままでは、搬送終端部Ｎから落下する溢れ玉の玉数が増加してしまう。
このような場合には、送風装置５ｂの風力を弱くさせて、パチンコ玉１２の移動量を減少させれば、搬送終端部Ｎから落下する溢れ玉の玉数を減少させることができる。
【００３４】
尚、本実施例では、送風装置５ｂの風力を制御するために、電磁弁８に大開度、中開度、小開度の３段階の開度を設定したが、２段階でもよいし、３段階以上の多段階でもよいし、無段開度でもよい。
【図面の簡単な説明】
【００３５】
【図１】本発明の実施例であるパチンコ島の右側半分を示す概略正面図である。
【図２】このパチンコ島の上部搬送装置を示す断面図である。
【図３】その上部搬送装置を示す部分斜視図である。
【図４】送風装置の風力制御系ブロック図である。
【符号の説明】
【００３６】
１  島台
１１  透明カバー
１２  パチンコ玉
１６  パチンコ機
１７  蛇腹ホース
２  揚送装置
３  補給玉タンク
３ａ  流下シュート
５  上部搬送装置
５ａ  搬送フレーム
５ｂ  送風装置
５ｃ  玉供給シュート
５０  パチンコ玉搬送面
５１  立側板
５２  支持部材
５３  吹き出しノズル
５４  送気ホース
５５  吹き出し口
７  制御部
７０  ＣＰＵ
７１  ＲＯＭ
７２  ＲＡＭ
７３  入出力ポート
８  電磁弁
９  排玉回収路
９ａ  溢れ玉回収路
９０  落下ガイド器
９１  蛇腹ホース
Ａ  パチンコ島
Ｍ  搬送始端部
Ｎ  搬送終端部
Ｓ  玉通過センサ
Ｘ  搬送方向
【図１】
2008104581.tif 000003
【図２】
2008104581.tif 000004
【図３】
2008104581.tif 000005
【図４】
2008104581.tif 000006